【手続補正書】
【提出日】平成15年9月11日(2003.9.11)
【手続補正１】
【補正対象書類名】明細書
【補正対象項目名】発明の名称
【補正方法】変更
【補正の内容】
【発明の名称】有機ＥＬ表示装置及び有機ＥＬ表示装置の製造方法


【手続補正２】
【補正対象書類名】明細書
【補正対象項目名】特許請求の範囲
【補正方法】変更
【補正の内容】
【特許請求の範囲】
【請求項１】
画素電極と、
前記画素電極に対向する対向電極と、
前記画素電極と前記対向電極との間に、
赤色の有機発光層と、
緑色の有機発光層と、
青色発光層と、を備え、
前記赤色の有機発光層と前記対向電極との間には、前記青色発光層が設けられていること、
を特徴とする有機ＥＬ表示装置。
【請求項２】
画素電極と、
前記画素電極に対向する対向電極と、
前記画素電極と前記対向電極との間に、
赤色の有機発光層と、
緑色の有機発光層と、
青色発光層と、を備え、
前記緑色の有機発光層と前記対向電極との間には、前記青色発光層が設けられていること、
を特徴とする有機ＥＬ表示装置。
【請求項３】
画素電極と、
前記画素電極に対向する対向電極と、
前記画素電極と前記対向電極との間に、
赤色の有機発光層と、
緑色の有機発光層と、
青色発光層と、を備え、
前記赤色の有機発光層と前記対向電極との間、及び、前記緑色の有機発光層と前記対向電極との間には、前記青色発光層が設けられていること、
を特徴とする有機ＥＬ表示装置。
【請求項４】
請求項１乃至３のいずれかに記載の有機ＥＬ表示装置において、
前記画素電極を駆動するトランジスタを備えていること、
を特徴とする有機ＥＬ表示装置。
【請求項５】
画素電極と、
前記画素電極に対向する対向電極と、
前記画素電極と前記対向電極との間に、
赤色の有機発光層と、
緑色の有機発光層と、
青色発光層と、を備え、
前記赤色の有機発光層及び前記緑色の有機発光層は、高分子により形成されており、
前記青色発光層は、蒸着により形成されていること、
を特徴とする有機ＥＬ表示装置。
【請求項６】
請求項５に記載の有機ＥＬ表示装置において、
前記赤色の有機発光層及び前記緑色の有機発光層と前記対向電極との間には、
前記青色発光層が設けられ、
前記赤色の有機発光層及び前記緑色の有機発光層は正孔注入型の材料であること、
を特徴とする有機ＥＬ表示装置。
【請求項７】
請求項１乃至６のいずれかに記載の有機ＥＬ表示装置において、
前記青色発光層と前記画素電極との間には正孔注入層が設けられていること、
を特徴とする有機ＥＬ表示装置。
【請求項８】
請求項５に記載の有機ＥＬ表示装置において、
前記高分子はポリパラフェニレンビニレンおよびその誘導体、またそれらを基本単位とする共重合体あること、
を特徴とする有機ＥＬ表示装置。
【請求項９】
請求項１乃至８のいずれかに記載の有機ＥＬ表示装置において、
前記対向電極上に保護膜が形成されていること、
を特徴とする有機ＥＬ表示装置。
【請求項１０】
請求項１乃至８のいずれかに記載の有機ＥＬ表示装置において、
前記対向電極上に不活性気体または不活性液体を介して、第二の基板で封止すること、
を特徴とする有機ＥＬ表示装置。
【請求項１１】
画素電極と、
前記画素電極に対向する対向電極と、
前記画素電極と前記対向電極との間に、
赤色の有機発光層と、
緑色の有機発光層と、
青色発光層と、を備えた有機ＥＬ表示装置の製造方法であって、
前記赤色の有機発光層をインクジェット方式により形成し、
前記青色発光層を蒸着により形成すること、
を特徴とする有機ＥＬ表示装置の製造方法。
【請求項１２】
画素電極と、
前記画素電極に対向する対向電極と、
前記画素電極と前記対向電極との間に、
赤色の有機発光層と、
緑色の有機発光層と、
青色発光層と、を備えた有機ＥＬ表示装置の製造方法であって、
前記緑色の有機発光層をインクジェット方式により形成し、
前記青色発光層を蒸着により形成すること、
を特徴とする有機ＥＬ表示装置の製造方法。
【請求項１３】
請求項１１または１２に記載の有機ＥＬ表示装置の製造方法において、
前記青色発光層と前記画素電極との間に正孔注入層が設けられ、
前記正孔注入層の形成をインクジェット方式により行うこと、
を特徴とする有機ＥＬ表示装置の製造方法。
【請求項１４】
請求項１１乃至１３のいずれかに記載の有機ＥＬ表示装置の製造方法において、
前記対向電極の形成を、真空蒸着法により行うこと、
を特徴とする有機ＥＬ表示装置の製造方法。
【手続補正３】
【補正対象書類名】明細書
【補正対象項目名】００１５
【補正方法】変更
【補正の内容】
【００１５】
【課題を解決するための手段】
本発明の第１の有機ＥＬ表示装置は、画素電極と、前記画素電極に対向する対向電極と、前記画素電極と前記対向電極との間に、赤色の有機発光層と、緑色の有機発光層と、青色発光層と、を備え、前記赤色の有機発光層と前記対向電極との間には、前記青色発光層が設けられていること、を特徴とする。


【手続補正４】
【補正対象書類名】明細書
【補正対象項目名】００１６
【補正方法】変更
【補正の内容】
【００１６】
本発明の第２の有機ＥＬ表示装置は、画素電極と、前記画素電極に対向する対向電極と、前記画素電極と前記対向電極との間に、赤色の有機発光層と、緑色の有機発光層と、青色発光層と、を備え、前記緑色の有機発光層と前記対向電極との間には、前記青色発光層が設けられていること、を特徴とする。


【手続補正５】
【補正対象書類名】明細書
【補正対象項目名】００１７
【補正方法】変更
【補正の内容】
【００１７】
本発明の第３の有機ＥＬ表示装置は、画素電極と、前記画素電極に対向する対向電極と、前記画素電極と前記対向電極との間に、赤色の有機発光層と、緑色の有機発光層と、青色発光層と、を備え、前記赤色の有機発光層と前記対向電極との間、及び、前記緑色の有機発光層と前記対向電極との間には、前記青色発光層が設けられていること、を特徴とする。
上記の有機ＥＬ表示装置において、前記画素電極を駆動するトランジスタを備えていてもよい。


【手続補正６】
【補正対象書類名】明細書
【補正対象項目名】００１８
【補正方法】変更
【補正の内容】
【００１８】
本発明の第４の有機ＥＬ表示装置は、画素電極と、前記画素電極に対向する対向電極と、前記画素電極と前記対向電極との間に、赤色の有機発光層と、緑色の有機発光層と、青色発光層と、を備え、前記赤色の有機発光層及び前記緑色の有機発光層は、高分子により形成されており、前記青色発光層は、蒸着により形成されていること、を特徴とする。


【手続補正７】
【補正対象書類名】明細書
【補正対象項目名】００１９
【補正方法】変更
【補正の内容】
【００１９】
上記の有機ＥＬ表示装置において、前記赤色の有機発光層及び前記緑色の有機発光層と前記対向電極との間には、前記青色発光層が設けられ、前記赤色の有機発光層及び前記緑色の有機発光層は正孔注入型の材料であることが好ましい。


【手続補正８】
【補正対象書類名】明細書
【補正対象項目名】００２０
【補正方法】変更
【補正の内容】
【００２０】
上記の有機ＥＬ表示装置において、前記青色発光層と前記画素電極との間には正孔注入層が設けられていてもよい。


【手続補正９】
【補正対象書類名】明細書
【補正対象項目名】００２１
【補正方法】変更
【補正の内容】
【００２１】
上記の有機ＥＬ表示装置において、前記高分子はポリパラフェニレンビニレンおよびその誘導体、またそれらを基本単位とする共重合体あってもよい。


【手続補正１０】
【補正対象書類名】明細書
【補正対象項目名】００２２
【補正方法】変更
【補正の内容】
【００２２】
上記の有機ＥＬ表示装置において、前記対向電極上に保護膜が形成されていることが好ましい。


【手続補正１１】
【補正対象書類名】明細書
【補正対象項目名】００２３
【補正方法】変更
【補正の内容】
【００２３】
上記の有機ＥＬ表示装置において、前記対向電極上に不活性気体または不活性液体を介して、第二の基板で封止することが好ましい。


【手続補正１２】
【補正対象書類名】明細書
【補正対象項目名】００２４
【補正方法】変更
【補正の内容】
【００２４】
本発明の第１の有機ＥＬ表示装置の製造方法は、画素電極と、前記画素電極に対向する対向電極と、前記画素電極と前記対向電極との間に、赤色の有機発光層と、緑色の有機発光層と、青色発光層と、を備えた有機ＥＬ表示装置の製造方法であって、前記赤色の有機発光層をインクジェット方式により形成し、前記青色発光層を蒸着により形成すること、を特徴とする。


【手続補正１３】
【補正対象書類名】明細書
【補正対象項目名】００２５
【補正方法】変更
【補正の内容】
【００２５】
本発明の第２の有機ＥＬ表示装置の製造方法は、画素電極と、前記画素電極に対向する対向電極と、前記画素電極と前記対向電極との間に、赤色の有機発光層と、緑色の有機発光層と、青色発光層と、を備えた有機ＥＬ表示装置の製造方法であって、前記緑色の有機発光層をインクジェット方式により形成し、前記青色発光層を蒸着により形成すること、を特徴とする。


【手続補正１４】
【補正対象書類名】明細書
【補正対象項目名】００２６
【補正方法】変更
【補正の内容】
【００２６】
上記の有機ＥＬ表示装置の製造方法において、前記青色発光層と前記画素電極との間に正孔注入層が設けられ、前記正孔注入層の形成をインクジェット方式により行ってもよい。


【手続補正１５】
【補正対象書類名】明細書
【補正対象項目名】００２７
【補正方法】変更
【補正の内容】
【００２７】
上記の有機ＥＬ表示装置の製造方法において、前記対向電極の形成を、真空蒸着法により行ってもよい。


【手続補正１６】
【補正対象書類名】明細書
【補正対象項目名】００２８
【補正方法】削除
【補正の内容】